(57)【要約】マシン可読命令を有する方法、システム、および物品を実装して、コンピューティングデバイスを使用して広告コンテンツを管理することができる。例えば、ネットワークから、少なくとも何らかの広告コンテンツを含むコンテンツのページを検索すること、検索したコンテンツのページをコンピューティングデバイスのユーザに対して提示すること、ユーザインターフェースを介して、提示した広告コンテンツのうち保存をする少なくとも一部分を識別するユーザ入力を受取ること、広告コンテンツの識別された一部分を保存すること、ユーザインターフェースを介して保存した広告コンテンツのうち別のユーザと共有をする一部または全てを識別するユーザ入力を受取ることと、識別された保存した広告コンテンツを他のユーザと共有させることによって、管理することができる。
2012505480.tif 000002
【特許請求の範囲】
【請求項１】
コンピューティングデバイスによって実施される、広告コンテンツを管理する方法であって、
ネットワークからコンテンツのページを検索することであって、該検索されたページは、少なくとも何らかの広告コンテンツを含む、ことと
前記検索したコンテンツのページを前記コンピューティングデバイスのユーザに対して提示することと、
ユーザインターフェースを介して、前記提示した広告コンテンツのうち保存をする少なくとも一部分を識別するためのユーザ入力を受取ることと、
前記識別された広告コンテンツの一部分を保存することと、
前記ユーザインターフェースを介して、前記保存した広告コンテンツのうち別のユーザと共有をする一部または全てを識別するためのユーザ入力を受取ることと、
前記識別されて保存した広告コンテンツを前記別のユーザと共有をさせることと
を含むことを特徴とする広告コンテンツを管理する方法。
【請求項２】
前記広告コンテンツは、テキスト、バナー、音声および映像の広告用もしくは宣伝用のメッセージ、または割引クーポンのうちの１つまたは複数を含むことを特徴とする請求項１に記載の広告コンテンツを管理する方法。
【請求項３】
前記ユーザインターフェースは、スタンドアロンプログラム、ウィジェット、ブラウザプラグ、またはウェブサイトユーザインターフェースとして実装されることを特徴とする請求項１に記載の広告コンテンツを管理する方法。
【請求項４】
認証、セキュリティ、および暗号の処理のうちの１つまたは複数を提供し、前記ユーザに対してプライバシーを保証することをさらに含むことを特徴とする請求項１に記載の広告コンテンツを管理する方法。
【請求項５】
前記広告コンテンツを管理する方法を実施するコンピューティングデバイスは、モバイル無線デバイス、携帯電話、携帯情報端末、ゲーム機、およびテレビのうちの１つまたは複数を含むことを特徴とする請求項１に記載の広告コンテンツを管理する方法。
【請求項６】
前記識別された広告コンテンツの一部分を保存することは、前記識別された広告コンテンツの一部分を、記憶のためにリモートサーバへ伝送することを含むことを特徴とする請求項１に記載の広告コンテンツを管理する方法。
【請求項７】
ＨＴＴＰを使用して前記リモートサーバと通信することをさらに含むことを特徴とする請求項６に記載の広告コンテンツを管理する方法。
【請求項８】
前記識別された広告コンテンツの一部分を保存することは、前記保存した広告コンテンツと共に追加の情報を保存することを含み、前記追加の情報は、会員識別および対応するタイムスタンプの一方または両方を含むことを特徴とする請求項１に記載の広告コンテンツを管理する方法。
【請求項９】
前記識別された広告コンテンツの一部分を保存することは、前記保存した広告コンテンツと共に追加の情報を保存することを含み、前記追加の情報は、コンテンツおよびコンテンツ発行者の一方または両方を識別する一意的な識別子を含むことを特徴とする請求項１に記載の広告コンテンツを管理する方法。
【請求項１０】
前記保存した広告コンテンツの少なくとも一部分に関する追加の情報が利用可能になるときに、前記ユーザに通知することをさらに含むことを特徴とする請求項１に記載の広告コンテンツを管理する方法。
【請求項１１】
前記ユーザの保存した広告コンテンツの少なくとも一部分に関するコンテンツプロバイダから受取った追加のコンテンツを、自動的に保存することをさらに含むことを特徴とする請求項１に記載の広告コンテンツを管理する方法。
【請求項１２】
前記ユーザの保存した広告コンテンツを、前記コンテンツプロバイダから受取った前記追加のコンテンツと相互参照することをさらに含むことを特徴とする請求項１１に記載の広告コンテンツを管理する方法。
【請求項１３】
前記ユーザが前記保存した広告コンテンツを操作することを可能にすることをさらに含むことを特徴とする請求項１に記載の広告コンテンツを管理する方法。
【請求項１４】
前記保存した広告コンテンツを操作することは、前記保存した広告コンテンツを閲覧、編集、共有、削除、またはコピーすることのうちの１つまたは複数を含むことを特徴とする請求項１３に記載の広告コンテンツを管理する方法。
【請求項１５】
前記ユーザインターフェースを介して、前記ユーザの保存した広告コンテンツの少なくとも一部分についての追加の情報を要求するユーザからの入力を受取ることと、
リモートサーバと通信して前記要求された追加の情報を取得することと、
前記取得した追加の情報を前記ユーザに提示することと
をさらに含むことを特徴とする請求項１に記載の広告コンテンツを管理する方法。
【請求項１６】
コミュニティ領域内で前記ユーザが他のユーザとインタラクトすることを可能にするユーザインターフェース機構を提供することをさらに含むことを特徴とする請求項１に記載の広告コンテンツを管理する方法。
【請求項１７】
前記コンピューティングデバイスは、広告コンテンツ、製品情報、サービス情報、ユーザの体験、およびユーザの意見のうちの１つまたは複数に関する情報を共有することによって、前記ユーザが他のユーザとインタラクトすることを可能にすることを特徴とする請求項１６に記載の広告コンテンツを管理する方法。
【請求項１８】
前記コミュニティ領域は、フォーラム、製品発表、メッセージボード、ニュース領域、割引クーポン、特別な宣伝、およびユーザのチャットツールのうちの１つまたは複数へのアクセスを提供することを特徴とする請求項１６に記載の広告コンテンツを管理する方法。
【請求項１９】
報奨を生み出す活動に関するユーザインターフェース機構を提供することをさらに含むことを特徴とする請求項１に記載の広告コンテンツを管理する方法。
【請求項２０】
前記報奨を生み出す活動は、フォーカスグループ、調査、および世論調査のうちの１つまたは複数を含むことを特徴とする請求項１９に記載の広告コンテンツを管理する方法。
【請求項２１】
前記報奨を生み出す活動は、広告主または製造業者に出資されることを特徴とする請求項１９に記載の広告コンテンツを管理する方法。
【請求項２２】
利用可能な賞は、換金可能なポイント、現金、割引、または宣伝用賞品を含むことを特徴とする請求項１９に記載の広告コンテンツを管理する方法。
【請求項２３】
動作を実施することによってコンピューティングデバイスに広告コンテンツを管理させる命令を有するコンピュータ可読媒体を備える物品であって、前記動作は、
ネットワークから、少なくとも何らかの広告コンテンツを含むコンテンツのページを検索することと、
前記検索したコンテンツのページを前記コンピューティングデバイスのユーザに対して提示することと、
ユーザインターフェースを介して、前記提示した広告コンテンツのうち保存をする少なくとも一部分を識別するためのユーザ入力を受取ることと、
前記識別された広告コンテンツの一部分を保存することと、
前記ユーザインターフェースを介して、前記保存した広告コンテンツのうち別のユーザと共有をする一部または全てを識別するためのユーザ入力を受取ることと、
前記識別されて保存した広告コンテンツを前記別のユーザと共有をさせることと
を含むことを特徴とするコンピュータ可読媒体を備える物品。
【請求項２４】
前記広告コンテンツは、テキスト、バナー、音声および映像の広告用もしくは宣伝用のメッセージ、または割引クーポンのうち１つまたは複数を含むことを特徴とする請求項２３に記載のコンピュータ可読媒体を備える物品。
【請求項２５】
前記ユーザインターフェースは、スタンドアロンプログラム、ウィジェット、ブラウザプラグ、またはウェブサイトユーザインターフェースとして実装されることを特徴とする請求項２３に記載のコンピュータ可読媒体を備える物品。
【請求項２６】
認証、セキュリティ、および暗号の処理のうちの１つまたは複数を提供し、前記ユーザに対してプライバシーを保証することをさらに含むことを特徴とする請求項２３に記載のコンピュータ可読媒体を備える物品。
【請求項２７】
前記広告コンテンツの管理を実施するコンピューティングデバイスは、モバイル無線デバイス、携帯電話、携帯情報端末、ゲーム機、およびテレビのうちの１つまたは複数を含むことを特徴とする請求項２３に記載のコンピュータ可読媒体を備える物品。
【請求項２８】
前記識別された広告コンテンツの一部分を保存することは、前記識別された広告コンテンツの一部分を、記憶のためにリモートサーバへ伝送することを含むことを特徴とする請求項２３に記載のコンピュータ可読媒体を備える物品。
【請求項２９】
ＨＴＴＰを使用して前記リモートサーバと通信するための命令をさらに備えることを特徴とする請求項２８に記載のコンピュータ可読媒体を備える物品。
【請求項３０】
前記識別された広告コンテンツの一部分を保存することは、前記保存した広告コンテンツと共に追加の情報を保存することを含み、前記追加の情報は、会員識別および対応するタイムスタンプの一方または両方を含むことを特徴とする請求項２３に記載のコンピュータ可読媒体を備える物品。
【請求項３１】
前記識別された広告コンテンツの一部分を保存することは、前記保存した広告コンテンツと共に追加の情報を保存することを含み、前記追加の情報は、コンテンツおよびコンテンツ発行者の一方または両方を識別する一意的な識別子を含むことを特徴とする請求項２３に記載のコンピュータ可読媒体を備える物品。
【請求項３２】
前記保存した広告コンテンツの少なくとも一部分に関する追加の情報が利用可能になるときに、前記ユーザに通知する命令をさらに含むことを特徴とする請求項２３に記載のコンピュータ可読媒体を備える物品。
【請求項３３】
前記ユーザの保存した広告コンテンツの少なくとも一部分に関するコンテンツプロバイダから受取った追加のコンテンツを、自動的に保存するための命令をさらに含むことを特徴とする請求項２３に記載のコンピュータ可読媒体を備える物品。
【請求項３４】
前記ユーザの保存した広告コンテンツを、前記コンテンツプロバイダから受取った前記追加のコンテンツと相互参照するための命令をさらに含むことを特徴とする請求項３３に記載のコンピュータ可読媒体を備える物品。
【請求項３５】
前記ユーザが前記保存した広告コンテンツを操作することを可能にするための命令をさらに備えることを特徴とする請求項２３に記載のコンピュータ可読媒体を備える物品。
【請求項３６】
前記保存した広告コンテンツを操作することは、前記保存した広告コンテンツを閲覧、編集、共有、削除、またはコピーすることのうちの１つまたは複数を含むことを特徴とする請求項３５に記載のコンピュータ可読媒体を備える物品。
【請求項３７】
前記ユーザインターフェースを介して、前記ユーザの保存した広告コンテンツの少なくとも一部分についての追加の情報を要求する前記ユーザからの入力を受取る命令と、
リモートサーバと通信して前記要求された追加の情報を取得する命令と、
前記取得した追加の情報を前記ユーザに提示する命令と
をさらに備えることを特徴とする請求項３５に記載のコンピュータ可読媒体を備える物品。
【請求項３８】
コミュニティ領域内で前記ユーザが他のユーザとインタラクトすることを可能にするユーザインターフェース機構を提供することをさらに含むことを特徴とする請求項２３に記載のコンピュータ可読媒体を備える物品。
【請求項３９】
前記コンピューティングデバイスは、広告コンテンツ、製品情報、サービス情報、ユーザの体験、およびユーザの意見のうちの１つまたは複数に関する情報を共有することによって、前記ユーザが他のユーザとインタラクトすることを可能にすることを特徴とする請求項３８に記載のコンピュータ可読媒体を備える物品。
【請求項４０】
前記コミュニティ領域は、フォーラム、製品発表、メッセージボード、ニュース領域、割引クーポン、特別な宣伝、およびユーザのチャットツールのうちの１つまたは複数へのアクセスを提供することを特徴とする請求項３８に記載のコンピュータ可読媒体を備える物品。
【請求項４１】
報奨を生み出す活動に関するユーザインターフェース機構を提供するための命令をさらに備えることを特徴とする請求項２３に記載のコンピュータ可読媒体を備える物品。
【請求項４２】
前記報奨を生み出す活動は、フォーカスグループ、調査、および世論調査のうちの１つまたは複数を含むことを特徴とする請求項４１に記載のコンピュータ可読媒体を備える物品。
【請求項４３】
前記報奨を生み出す活動は、広告主または製造業者に出資されることを特徴とする請求項４１に記載のコンピュータ可読媒体を備える物品。
【請求項４４】
利用可能な賞は、換金可能なポイント、現金、割引、または宣伝用賞品を含むことを特徴とする請求項４１に記載のコンピュータ可読媒体を備える物品。
【請求項４５】
広告管理システムのユーザとの通信のために構成されるユーザインターフェースと、
データを記憶するためのメモリと、
前記メモリに動作可能に連結し、かつ、前記メモリ内に記憶されるデータの１または複数の処理を実行するよう構成されるプロセッサであって、前記プロセッサは、
ネットワークから、少なくとも何らかの広告コンテンツを含むコンテンツのページを検索することと、
前記検索したコンテンツのページを前記コンピューティングデバイスのユーザに対して提示することと、
ユーザインターフェースを介して、前記提示した広告コンテンツのうち保存をする少なくとも一部分を識別するためのユーザ入力を受取ることと、
前記識別された広告コンテンツの一部分を保存することと、
前記ユーザインターフェースを介して、前記保存した広告コンテンツのうち別のユーザと共有をする一部または全てを識別するためのユーザ入力を受取ることと、
前記識別されて保存した広告コンテンツを前記別のユーザと共有をさせることと
を実施する１つまたは複数の処理を実行するよう構成されるプロセッサと、
を備えることを特徴とする広告管理システム。
【請求項４６】
前記広告コンテンツは、テキスト、バナー、音声および映像の広告用もしくは宣伝用のメッセージ、または割引クーポンのうちの１つまたは複数を含むことを特徴とする請求項４５に記載の広告管理システム。
【請求項４７】
前記ユーザインターフェースは、スタンドアロンプログラム、ウィジェット、ブラウザプラグ、またはウェブサイトユーザインターフェースとして実装されることを特徴とする請求項４５に記載の広告管理システム。
【請求項４８】
認証、セキュリティ、および暗号の処理のうちの１つまたは複数を提供し、前記ユーザに対してプライバシーを保証することをさらに含むことを特徴とする請求項４５に記載の広告管理システム。
【請求項４９】
前記広告コンテンツを管理する方法を実施する前記コンピューティングデバイスは、モバイル無線デバイス、携帯電話、携帯情報端末、ゲーム機、およびテレビのうちの１つまたは複数を含むことを特徴とする請求項４５に記載の広告管理システム。
【請求項５０】
前記識別された広告コンテンツの一部分を保存することは、広告コンテンツの前記識別された一部分を、記憶のためにリモートサーバへ伝送することを含むことを特徴とする請求項４５に記載の広告管理システム。
【請求項５１】
ＨＴＴＰを使用して前記リモートサーバと通信することをさらに含むことを特徴とする請求項５０に記載の広告管理システム。
【請求項５２】
前記識別された広告コンテンツの一部分を保存することは、前記保存した広告コンテンツと共に追加の情報を保存することを含み、前記追加の情報は、会員識別および対応するタイムスタンプの一方または両方を含むことを特徴とする請求項４５に記載の広告管理システム。
【請求項５３】
前記識別された広告コンテンツの一部分を保存することは、前記保存した広告コンテンツと共に追加の情報を保存することを含み、前記追加の情報は、コンテンツおよびコンテンツ発行者の一方または両方を識別する一意的な識別子を含むことを特徴とする請求項４５に記載の広告管理システム。
【請求項５４】
前記保存した広告コンテンツの少なくとも一部分に関する追加の情報が利用可能になるときに、前記ユーザに通知することをさらに含むことを特徴とする請求項４５に記載の広告管理システム。
【請求項５５】
前記ユーザの保存した広告コンテンツの少なくとも一部分に関するコンテンツプロバイダから受取った追加のコンテンツを、自動的に保存することをさらに含むことを特徴とする請求項４５に記載の広告管理システム。
【請求項５６】
前記ユーザの保存した広告コンテンツを、前記コンテンツプロバイダから受取った前記追加のコンテンツと相互参照することをさらに含むことを特徴とする請求項５５に記載の広告管理システム。
【請求項５７】
前記ユーザが前記保存した広告コンテンツを操作することを可能にするステップをさらに含むことを特徴とする請求項４５に記載の広告管理システム。
【請求項５８】
前記保存した広告コンテンツを操作することは、前記保存した広告コンテンツを閲覧、編集、共有、削除、またはコピーすることのうちの１または複数を含むことを特徴とする請求項５７に記載の広告管理システム。
【請求項５９】
前記ユーザインターフェースを介して、前記ユーザの保存した広告コンテンツの少なくとも一部分についての追加の情報を要求する前記ユーザからの入力を受取ることと、
リモートサーバと通信して前記要求された追加の情報を取得することと、
前記取得した追加の情報を前記ユーザに提示することと
をさらに含むことを特徴とする請求項４５に記載の広告管理システム。
【請求項６０】
コミュニティ領域内で前記ユーザが他のユーザとインタラクトすることを可能にするユーザインターフェース機構を提供することをさらに含むことを特徴とする請求項４５に記載の広告管理システム。
【請求項６１】
前記コンピューティングデバイスは、広告コンテンツ、製品情報、サービス情報、ユーザの体験、およびユーザの意見のうちの１つまたは複数に関する情報を共有することによって、前記ユーザが他のユーザとインタラクトすることを可能にすることを特徴とする請求項６０に記載の広告管理システム。
【請求項６２】
前記コミュニティ領域は、フォーラム、製品発表、メッセージボード、ニュース領域、割引クーポン、特別な宣伝、およびユーザのチャットツールのうちの１つまたは複数へのアクセスを提供することを特徴とする請求項６０に記載の広告管理システム。
【請求項６３】
報奨を生み出す活動に関するユーザインターフェース機構を提供することをさらに含むことを特徴とする請求項４５に記載の広告管理システム。
【請求項６４】
前記報奨を生み出す活動は、フォーカスグループ、調査、および世論調査のうちの１つまたは複数を含むことを特徴とする請求項６３に記載の広告管理システム。
【請求項６５】
前記報奨を生み出す活動は、広告主または製造業者に出資されることを特徴とする請求項６３に記載の広告管理システム。
【請求項６６】
利用可能な賞は、換金可能なポイント、現金、割引、または宣伝用賞品を含むことを特徴とする請求項６３に記載の広告管理システム。
【発明の詳細な説明】
【技術分野】
【０００１】
本出願は、２００８年１０月８日出願の「My Ad Valet Software Application」と題する、米国特許仮出願第６１／１０３，８９６号に基づく優先権を主張するものであり、その内容全体を参照により本明細書に組み込むものとする。
【０００２】
本文書は概して、例えば、ブラウザプラグイン・広告管理システムを使用して、任意または全てのインターネット接続可能デバイスからのインターネットの広告および宣伝用コンテンツを、安全な環境において自動的にタグ付け、保存、記憶、検索、提供、および共有することを容易にすることにより、インターネットの広告および宣伝用コンテンツを管理するためのシステムおよび技術について記載する。
【背景技術】
【０００３】
広告は、世界の自由市場経済の重要なツールである。それは、消費者の購買周期において最も重要な力となる。広告は、伝達メッセージを配信して、消費者にオンラインおよびオフラインの小売店で品物およびサービスを購入するよう仕込み動機付けするマーケティングツールである。年間に、数十億ドルが広告の売買に費やされる。広告は、世界の全ての自由市場消費国の国内総生産を生み出すライフラインである。
【０００４】
今日、広告主、広告媒体の買い手、およびワールドワイドウェブ上の広告提供ネットワークが支払うインターネット広告費は、成長という観点からは拡大している。数十億のインターネットユーザが特定の情報を検索し、そのユーザの多くが娯楽のコンテンツを消費し、異なるソーシャルネットワークおよびビジネスネットワークを介してユーザと接続することにより交流かつ共有している。研究によると、インターネットユーザはポップアップする広告を嫌い、インターネットを使用して製品やブランド情報を検索しているか、または、自分の興味のある製品についての魅力的な広告が目に入らない限り、全てのインターネット広告についてクリックすることに警戒心を持っている。広告が、消費者に対して、彼らの行動のプロフィールに基づき直接カスタマイズされて配信される場合であっても、ほとんどのユーザは、広告について魅力のあるものや興味のあるものが見つからないという自分の個人的な時間制約のため、および／または、スパムやプライバシーの問題のため、広告用および宣伝用のリンクをクリックしない。
【発明の概要】
【０００５】
本文書は、例えば、ブラウザプラグイン・広告管理システムを使用して、任意または全てのインターネット接続可能デバイスに対するインターネットの広告および宣伝用コンテンツを、自動的にタグ付け、保存、記憶、検索、提供、共有、および／または確保することを容易にすることにより、インターネットの広告および宣伝用コンテンツを管理するための処理およびシステムについて記載する。
【０００６】
一実装において、ソフトウェアアプリケーションは、スタンドアロンプログラム、ウィジェット、ブラウザプラグイン、またはウェブサイトユーザインターフェースの形式とすることができ、テキスト、バナー、音声および映像の広告用または宣伝用のメッセージ、ならびにそれらに関連するコンテンツを、全てのインターネット接続可能デバイスおよびインターネットに接続されるプラットフォームを使用して、安全、確実、かつ私的な方法で、素早く取得、保存、記憶、提供、検索、および／または共有する方法およびシステムを具現化する。ユーザは、世界中の任意の場所から自分のインターネット接続可能デバイスを用いて、自分の保存、記憶および確保した情報に、必要に応じてアクセスすることが可能である。ソフトウェアアプリケーションにより、認証およびセキュリティの方法を提供し、出入りするインターネット通信のためのインターネット暗号化方法を使用して、プライバシーの保護を保証する。実装には、以下の特徴のうちの１つまたは複数を含むことができる。
【０００７】
ここに開示する機構を使用することにより、例えば、ブラウザプラグインは、ウェブサイトのページ、携帯電話、携帯情報端末、ゲーム機、およびテレビから、多くのタイプの広告または宣伝用コンテンツを後で用いるために取得することができる。これらのウェブサイトのページ、携帯電話、携帯情報端末、ゲーム機、およびテレビは、インターネットに接続して、フラッシュ、ＪＰＧ、ＰＮＧ、ＧＩＦ、および広告または宣伝用コンテンツでブラウザプラグインを使用する他の一般的なグラフィックのフォーマットを含む、割引クーポン、テキスト、バナー、ならびに映像広告等の広告および関連する宣伝用コンテンツを、表示することができる。
【０００８】
広告または宣伝用コンテンツを取得後、ブラウザプラグインのユーザは、広告リンク、および、テキスト、バナー、映像または他の宣伝のタイプのコンテンツを、データストレージサーバに戻して保存および記憶することができる。データストレージサーバは、非常に大きなファイルをサポートし、転送量制限を設けている。
【０００９】
データストレージサーバのソフトウェアは、インターネット接続可能デバイスにインストールされるブラウザプラグインのユーザから広告管理システムへ要求するために、安全なＨＴＴＰ（Hypertext Transfer Protocol）または他のインターネットプロトコルを使用する。また、データストレージサーバのソフトウェアは、広告管理システムからインターネット接続可能デバイスへ戻される応答を、安全なＨＴＴＰまたは他のインターネットプロトコルを使用して、インターネットを介して送信する。広告および宣伝用コンテンツの保存および記憶の要求は全て、会員によって開始され、要求日時（タイムスタンプ）、会員アイデンティティ（「ＩＤ」）、および、コンテンツおよびコンテンツ発行者を一意的に識別する情報を含む追加のデータ情報を含有する。ブラウザプラグインを使用する広告管理システムに自分が取得、保存、および記憶した新しいコンテンツが着信すると、ユーザに通知される。
【００１０】
ブラウザプラグイン・広告管理システムは、ストレージサーバ上でのコンテンツの保存および記憶を自動化する方法または命令を有する。命令は、インフォメーションプロバイダおよびブラウザプラグイン・広告管理システムの他のユーザから受取ることができる追加の情報と共に、システムサーバ上に記憶する全ての広告および宣伝用コンテンツを、収集、ロギング、および相互参照するためのものである。
【００１１】
広告または宣伝用コンテンツをユーザに記憶またはリンクさせた後、ユーザは、保存および記憶したコンテンツと、それを閲覧することおよび他のユーザまたは友人と共有することを含む様々な方法で、インタラクトすることができる。さらに、そのコンテンツをコンテンツの作成者により元々設計されたように使用することができる。広告管理システムにより、ユーザは、コンテンツの作成者、代理人、または配信者からの広告または宣伝用コンテンツにより説明される製品、サービス、または宣伝用物品についての追加の情報を要求することができる。
【００１２】
広告管理システムは、広告、製品、およびサービス情報、体験、ならびに、フォーラムまたはメッセージボードおよびグループや私的なライブのチャットを介した意見をユーザに共有させる、コミュニティ機能（feature）領域を作成するための方法を有することができる。広告管理システムの方法にはまた、新しい製品もしくはサービス、割引クーポン、または他の特別な宣伝に関する、広告管理システムによる特別な投稿または通知のためのニュースおよび発表の領域を含むことができる。
【００１３】
広告管理システムには、フォーカスグループ、調査、および特別な世論調査等の報奨を生み出す活動にユーザが参加するための方法を含むことができる。これらの活動には、広告主または製造業者が出資し、報奨には、換金可能なポイント、現金、割引、または他の宣伝用賞品を含むことができる。
【００１４】
開示するブラウザプラグイン・広告管理システムの実装により、ワールドワイドウェブ上のページ、またはインターネットに接続される他のプラットフォームから、テキスト、バナー、映像、音声、クーポン、および他の広告または宣伝用コンテンツを、ユーザが取得、保存、収集、記憶、および検索することを可能にし、かつ、保存する個々の広告それぞれについての追加の情報をユーザが自動的におよび要求に応じて受取ることを可能にし、ユーザは、自分のマイアドバレット（my ad valet）の情報および個人的なコメントを友人と共有することができる。
【００１５】
ブラウザプラグイン・広告管理システムの実装において、デスクトップコンピュータもしくはラップトップコンピュータ、ＰＤＡ（personal digital assistant）、テレビ、ゲーム機、またはモバイルデバイス等のインターネット接続可能デバイスを有する任意のユーザは、テキストの広告リンク、オンラインバナー、および他の宣伝用コンテンツに加えて、埋め込まれた静止映像または可動性のある広告を含むテキストおよびデジタルの広告コンテンツを、ユーザの進行中の活動またはオンラインセッションを中断することなく、後でレビューするためにこれらのタイムスタンプ付きの広告を保存、記憶、および蓄積する目的で、取得または取り込む。
【００１６】
開示する広告管理システムの別の態様は、ユーザが収集した広告および宣伝用コンテンツの記憶管理、分類管理、および、オンラインの検索および表示のネットワークシステムである。ブラウザプラグイン・広告管理システムは、会員資格が用いられ、会員がネットワーク広告管理システムと通信することを可能するための多くの実装を有する。
【００１７】
開示する広告管理システムの一態様によると、保存した広告により表される製品またはサービスに関連する広告主および製品に関する追加の情報の自動検索は、一度ユーザが広告の記憶を要求した時点で、いったんユーザのプロフィールにリンクされる。そして、ユーザは、インターネットコンテンツを表示することができるインターネット接続可能デバイスから、任意の時にオンラインシステムネットワークを訪れて、収集した宣伝用および割引用のコンテンツを管理することができる。広告管理システムのネットワークでは、会員の広告コンテンツの取込み、保存および記憶に応えて自動的に検索される情報内に、同一または同様のブランドのいずれかによる同様の製品またはサービスの比較、製品価格の比較、ならびに、会員が保存した広告または宣伝用コンテンツに関連する広告主による特別な宣伝、賞金、および価格または割引の宣伝を含むことができる。
【００１８】
広告管理システムの別の実装は、ユーザの会員資格プロフィールを使用し、その中の新しいものおよび過去のもの全ての保存した広告、ならびに関連する自動生成される製品情報をレビューして、ネットワーク内にオンラインの私的な安全ゾーンを作成することであり、安全なプライバシーを指向する環境における広告とのさらなるインタラクションを評価して、それにより、開示する広告管理システムのネットワークが、広告主のウェブサイトと会員ユーザとの間のインターフェースとして機能することを目的とする。
【００１９】
開示する広告管理システムは、ユーザが広告の情報源から直接の追加の広告または製品の情報を要求することを支援し、かつ、ネットワーク内の私的なスペースにいるユーザに、要求された情報への応答を配信することを容易にする。これにより、ユーザが、広告管理システムのネットワークを使用して広告主と電子的に私的に通信し、全ての出入りする通信を発信および受信することが可能になる。
【００２０】
広告管理システムには、広告管理システムの安全なネットワーク内に、広告および製品に関連するコミュニティ機能領域を含むことができ、これにより、会員は、メッセージボードまたはフォーラムを使用して、製品または広告についての意見および情報を投稿したり、他の動作中の会員とオンラインでチャットしたり、広告または製品の情報を、その情報を共有する目的で他の会員またはユーザに私的に送信または転送したりすることができる。
【００２１】
広告管理システムにはまた、ネットワーク内にキャッシュフォーマイオピニオン（Cash For My Opinion）領域を含有することができ、これにより、ユーザは、現金、割引、または、オンラインの製品もしくは広告の世論調査、製品調査、フォーカスグループへのユーザの参加および製品もしくは広告の評価に対する交換可能ポイントもしくは代わりの通貨を、得ることができる。広告管理システムは、デモグラフィック（demographic）、ブランド、および行動統計を使用して、特定の世論調査、調査、または製品レビューに参加するユーザの対象を絞ることができる。キャッシュフォーマイオピニオンに関連する活動の資金援助は、直接広告主を介して、もしくは、第三者の代理人の関与を介して、または広告管理システムにより制御されて、なすことができる。
【００２２】
マシン可読命令を有する方法、システム、および物品を実装して、コンピューティングデバイスを使用して広告コンテンツを管理することができる。例えば、ネットワークから、検索したページには少なくとも何らかの広告コンテンツを含むコンテンツのページを検索すること、検索したコンテンツのページをコンピューティングデバイスのユーザに対して提示することと、ユーザインターフェースを介して、提示した広告コンテンツのうち保存をする少なくとも一部分を識別するユーザ入力を受取ることと、広告コンテンツの識別された一部分を保存することと、ユーザインターフェースを介して、保存した広告コンテンツのうち別のユーザと共有をする一部または全てを識別するユーザ入力を受取ることと、識別された保存した広告コンテンツを他のユーザと共有させることによって、管理することができる。
【００２３】
広告コンテンツは、テキスト、バナー、音声および映像の広告用もしくは宣伝用のメッセージ、または割引クーポンのうちの１つまたは複数を含むことができる。
【００２４】
ユーザインターフェースは、スタンドアロンプログラム、ウィジェット、ブラウザプラグ、またはウェブサイトユーザインターフェースとして実装される。
【００２５】
認証、セキュリティ、および暗号化処理のうちの１つまたは複数を提供して、ユーザに対してプライバシーを保証することができる。
【００２６】
広告コンテンツの管理を実施するコンピューティングデバイスには、モバイル無線デバイス、携帯電話、携帯情報端末、ゲーム機、およびテレビのうちの１つまたは複数を含むことができる。
【００２７】
広告コンテンツの識別された一部分を保存することは、広告コンテンツの識別された一部分を、記憶のためにリモートサーバへ伝送することを含むことができる。コンピューティングデバイスは、ＨＴＴＰ（Hypertext Transfer Protocol）を使用してリモートサーバと通信することができる。
【００２８】
広告コンテンツの識別された一部分を保存することは、保存した広告コンテンツと共に追加の情報を保存することを含むことができ、追加の情報は、会員識別および対応するタイムスタンプの一方または両方を含む。
【００２９】
広告コンテンツの識別された一部分を保存するステップは、保存した広告コンテンツと共に追加の情報を保存するステップを含むことができ、追加の情報は、コンテンツおよびコンテンツ発行者の一方または両方を識別する一意的な識別子を含む。
【００３０】
保存した広告コンテンツの少なくとも一部分に関する追加の情報が利用可能になるときに、ユーザに通知することができる。
【００３１】
ユーザの保存した広告コンテンツの少なくとも一部分に関するコンテンツプロバイダから受取った追加のコンテンツを、自動的に保存することができる。ユーザの保存した広告コンテンツを、コンテンツプロバイダから受取った追加のコンテンツと相互参照することができる。
【００３２】
コンピューティングデバイスは、例えば、保存した広告コンテンツを閲覧、編集、共有、削除、またはコピーすることのうちの１つまたは複数によって、ユーザが保存した広告コンテンツを操作することを可能にすることができる。
【００３３】
ユーザの保存した広告コンテンツの少なくとも一部分についての追加の情報を要求する入力を、ユーザからユーザインターフェースを介して受取ることができる。リモートサーバとの通信により、要求された追加の情報を取得することができ、かつ、取得した追加の情報をユーザに提示することができる。
【００３４】
ユーザがコミュニティ領域内で他のユーザとインタラクトすることを可能にするユーザインターフェース機構を提供することができる。
【００３５】
コンピューティングデバイスは、ユーザが、広告コンテンツ、製品情報、サービス情報、ユーザの体験、およびユーザの意見のうちの１つまたは複数に関する情報を共有することにより、他のユーザとインタラクトすることを可能にすることができる。
【００３６】
コミュニティ領域は、フォーラム、製品発表、メッセージボード、ニュース領域、割引クーポン、特別な宣伝、およびユーザのチャットツールのうちの１つまたは複数へのアクセスを提供することができる。
【００３７】
例えば、フォーカスグループ、調査、および世論調査のうちの１つまたは複数といった、報奨を生み出す活動に関するユーザインターフェース機構を提供することができる。報奨を生み出す活動には、広告主または製造業者が出資することができる。利用可能な賞には、換金可能なポイント、現金、割引、または宣伝用賞品を含むことができる。
【００３８】
本文書に記載する主題は、多数の他の潜在的な利点を提供することができる。例えば、ここに記載するブラウザプラグインおよびシステムは、全てのインターネット接続可能デバイスを使用して、インターネットテキスト、バナー、音声および映像の広告用および宣伝用のメッセージを、ユーザが生成するコンテンツと共に、安全な環境において、消費者がタグ付け、保存、記憶、提供、検索、および共有することを可能にする。
【００３９】
さらに、このブラウザプラグイン・広告管理システムを使用することにより、ユーザは、全てのインターネット接続可能デバイスを使用して、あらゆるインターネットのテキスト、バナー、音声および映像の広告用および宣伝用のメッセージ、ならびにユーザ生成のコンテンツを、安全な環境において、素早くタグ付け、保存、記憶、提供、検索、共有することができる。ユーザは、世界中の任意の場所からインターネット接続を用いて、自分の個人的なストレージサーバ情報に、必要に応じてアクセスすることができる。
【００４０】
ブラウザプラグイン広告保存方法および広告管理システムから広告主に対する他の潜在的な利益には、以下のうちの１つまたは複数を含むことができる。
・ウェブページの訪問者による、より高い広告のクリック率
・ＷＷＷページ上に埋め込まれる全ての各インターネットプラットフォーム媒体の購買において、投資される広告代に対する、より高度な最適化およびより高い投資利益率（ＲＯＩ）
・広告の共同経営者は、ブラウザプラグイン広告保存方法および広告管理システムのユーザと組織的に結びつくことができ、追加の製品／ブランド情報、ならびに製品／ブランドおよびサービスを購入する場所を提供することができる。
・ユーザは、広告および製品の好き嫌いについての私的な情報を広告主と共有することを選択することができる。
【００４１】
ブラウザプラグイン広告保存方法および広告管理システムからエンドユーザに対する他の潜在的な利益には、以下のうちの１つまたは複数を含むことができる。
・広告を保存する能力
・時間ずらして広告をクリックすること
・時間の節約
・収入を得る
【図面の簡単な説明】
【００４２】
１つまたは複数の実装の詳細を、添付の図面および以下の説明において記述する。他の特徴および利点は、説明および図面、ならびに特許請求の範囲から明らかになるであろう。種々の図面における同様の参照記号は、同様の要素を示す。
【００４３】
【図１】ブラウザプラグイン・広告管理システムの概観を示す図である。
【図２】システムネットワークの会員になる例示的プロセスを示す図である。
【図３】広告または宣伝用コンテンツの保存、記憶、および確保における典型的なステップを示す図である。
【図４】保存および記憶した広告との異なるインタラクションを示す図である。
【図５】コミュニティ機能の態様を示す図である。
【図６】フォーカスグループ、世論調査、および調査等のマイキャッシュフォーオピニオンの態様を示す図である。
【図７】会員に重要な情報を通知するための会員アラート（通報）機能のブロック図である。
【図８】収集および取込むことができるいくつかのタイプの会員分析情報を示すブロック図である。
【図９】本文書に記載するシステムおよび方法を実装するために使用することができるコンピューティングデバイスのブロック図である。
【発明を実施するための形態】
【００４４】
図１に示すように、インターネット接続可能デバイスを有する会員は、現在のブラウザプラグインの技術を使用して、広告コンテンツを保存、記憶、検索する目的で、あるいは、後のより都合の良い時間にクリックおよびインタラクトする目的で、バナー、テキスト、映像のおよび静止した広告、クーポン、または、他の宣伝用コンテンツ１２０およびその関連するコンテンツを、選択的に選ぶことができる。インターネット接続可能デバイスは、ブロック１１５に示すような、および、インターネット１３５と通信および接続する能力のある方法または手段を有し、かつ配信される広告コンテンツ１２０へのアクセス、広告コンテンツ１２０を閲覧、表示、あるいは広告コンテンツ１２０とインタラクトする能力を有するような、パーソナルコンピュータもしくはラップトップ、携帯電話、テレビ、ゲーム機、またはＰＤＡ等である。広告管理システムは、インターネットウェブサイト、およびシステムネットワークインフラストラクチャから成り、システムネットワークインフラストラクチャには、コンピュータストレージサーバ、コンピュータメモリ、通信ハードウェアおよびソフトウェア、公的にアクセス可能なウェブサーバ、ユーザインターフェース、ならびに、全てのタイプの広告および宣伝用コンテンツを保存、記憶、確保、閲覧、およびそれらとインタラクトすることを可能にする能力のあるコンピュータシステムを実装およびサポートするために必要な他のハードウェアおよびソフトウェアを含む。広告管理システムはまた、「ネットワークハブ」１１０とも呼ばれ、本文書において、全てのシステム通信、インターネットユーザインターフェースインタラクション、アクション、ならびに、ブラウザプラグイン・広告管理システムのサポートにおいてコンピュータシステムを実装およびサポートするために必要な、コンピュータストレージ、内部および外部ネットワーク通信、ウェブサーバ、ソフトウェア、およびハードウェアを含むシステムネットワークインフラストラクチャについて記載ことを目的とする。
【００４５】
システムネットワークの会員になる例示的プロセスを示す図２に示すように、ブラウザプラグイン・広告管理システムの種々の実装の使用には、ユーザの会員資格を要求することができる。ブラウザプラグイン・広告管理システムは、ブラウザプラグイン・広告管理システムに対する会員資格を作成するためのさまざまな方法を提供する。ウェブコンテンツを表示する能力のある、インターネットに接続されるデバイスを有する加入見込みの会員は、広告管理システムのウェブユーザインターフェースおよびＵＲＬ、第三者のウェブサイト上のソフトウェアウィジェットを使用するか、または、ブラウザプラグインクライアントアプリケーション１５０をダウンロードして、一意的な会員名２１０および安全なパスワード２１０を作成し、ブラウザプラグイン・広告管理システムに対する会員資格を要求する。会員資格要求の処理では、要求された会員名２１０のネットワークハブ１１０内での一意性２５０を検証する。要求された会員名２１０が、会員資格要求時に利用可能でない場合、ステップ２６０にて、加入見込みの会員に対して通知メッセージを表示して、ステップ２１０における名前が既に使われていること、および別の会員名２１０を選択すべきであり、会員資格要求を再提出可能であることを忠告する。一意的な会員名および有効なパスワードが選択された後、ブラウザプラグイン・広告管理システムの実装により、ステップ２８０にて、フェイスブックまたはマイスペースのようなソーシャルネットワーク等の別のウェブサイトから会員プロフィールをインポートして、そのような会員プロフィールの簡単な作成を可能にすることができる。
【００４６】
ブラウザプラグイン・広告管理システムの実装において、ソフトウェアウィジェット、または第三者のウェブサイト上に置かれる他のソフトウェアプログラムを使用して、友人、家族、または他の人々を招待して会員にすることができる。
【００４７】
会員プロフィールには、デモグラフィック、年齢、性別、居住地、趣味、習慣、等の会員の個人情報に加えて、会員の好き嫌い、またはその他の行動を識別するための嗜好およびその他の情報を含有することができる。
【００４８】
広告管理システムの種々の実装には、会員資格プロフィールを作成またはインポートする手段２８０を提供する目的で、第三者のウェブサイト上、またはネットワークハブ１１０との通信手段を有するプラットフォーム上に常駐する、ソフトウェアアプリケーションウィジェットまたはプログラム２０５を含むことができる。
【００４９】
この会員名２１０を広告管理システム内で使用して、会員と、ネットワークハブ１１０内にある会員自身の私的で安全な領域のホームページまたは広告スペース１６５との間の一意的なリンクを作成する。
【００５０】
これらのリンクは、会員の保存および記憶の要求を介して、ネットワークハブ１１０により送受信される全ての広告および宣伝用コンテンツ１２０を保存、記憶、検索、それらとインタラクト、およびそれらを分類するために作成される。
【００５１】
図３は、広告または宣伝用コンテンツの保存、記憶、および確保における典型的なステップを示す。ブラウザプラグインクライアントソフトウェアアプリケーション１５０は、インターネット接続可能デバイス上にインストール可能であり、会員が選択した広告および宣伝用コンテンツ１２０を、会員がネットワークハブ１１０に保存、記憶、および確保３８０することを可能にする「収集モジュール（collector module）」とみなされる。ブラウザプラグインは、会員が選択した広告または宣伝用コンテンツを取込み、保存、および記憶する方法を実装する。
【００５２】
ブラウザプラグインは、会員に任意のコンテンツを取込み、保存、および記憶することを許可する前に、会員によりインターネット接続可能入力デバイス上にインストールおよび構成されなければならない。インターネット接続可能入力デバイスには、パーソナルコンピュータ、携帯電話、ゲーム機、ウェブテレビ、およびＰＤＡ等のデバイスを含む。
【００５３】
入力デバイスには、ウェブページのハイパーリンクとインタラクトする能力があるコンピュータマウスのカーソル等の、ポインティング方法または装置を含有する。ウェブページのハイパーリンクには、テキストおよびグラフィックの広告または宣伝用コンテンツを含む。ウェブページのハイパーリンクには、Adobe Flash、Microsoft Silverlight、または、他のアニメーションもしくは映像作成のソフトウェアアプリケーションに埋め込まれる広告および宣伝用コンテンツを含むことができる。インストールされるブラウザプラグインは、一実装において、デバイスのユーザがそのようなポインティング方法または装置を使用してハイパーリンク上にマウスポインタを重ねることに応答して、アイコンを表示する。グラフィックアイコンは、コンピュータマウスのカーソル等のポインティング方法または装置の隣に表示される。アイコンは、限られた時間の間、表示され、この所定の時間が過ぎると消える。
【００５４】
会員は、ハイパーリンク上にマウスポインタを重ねる間に、表示されるアイコンをクリックまたは選択し、ブラウザプラグインに、選択した広告または宣伝用コンテンツを取込み、保存、および記憶するよう要求することができる。要求は、処理のために、ブラウザプラグインから広告管理システムに通信のパケットで送られる。
【００５５】
ブラウザプラグインの別の実装において、ブラウザプラグインは、デバイスのユーザがそのようなポインティング方法または装置を使用してハイパーリンク上にマウスポインタを重ねることに応答して、アイコンを表示し、会員がハイパーリンクを取込み、保存、および記憶できることを示す。ブラウザプラグインの本実装において、会員は、ハイパーリンクをクリックまたは選択した後に、ハイパーリンクにより指定されるランディングページまたは対象のページに進む。そこで、コンピュータマウスのカーソル等のポインティング方法または装置を使用して、対象のページまたはランディングページが占有しないスペース上を右クリックすると、ハイパーリンク上をクリックすることにより表れる広告または宣伝用コンテンツを、会員が取込み、保存、および記憶できるように、インストールされたメニュー項目または選択肢を有するメニューが表示され、そしてハイパーリンクが元々埋め込まれていた表示のページに戻る。
【００５６】
ブラウザプラグイン・広告管理システムの実装によると、広告管理システムおよびネットワークハブ１１０が受取って記憶した全ての広告および宣伝用コンテンツ１２０を、製品分類タイプ、ブランド、製造業者、および関連する製品のキーワードにより分類３４０し、一意的にタイムスタンプ３２５ｂを付し、かつ、広告および宣伝用コンテンツ１２０の保存および記憶の要求を開始した会員の会員アカウント２９５に接続を行う。動作中、広告管理システムは、保存および記憶の最初の会員要求３８０時に、それぞれ一意的な広告または宣伝用コンテンツ１２０に対してシステムが生成する識別子を作成する。広告管理システムは、実際に、既存の記憶した広告または宣伝用コンテンツ１２０のバージョンを既に有することができ、かつ、実際に、既存の広告または宣伝用コンテンツ１２０と、保存および記憶の要求３８０を開始した会員のＩＤとの間の関連を作成する３３５ことができる。広告または宣伝用コンテンツの一意的な識別子は、広告または宣伝用コンテンツ１２０の発行エンティティまたは発行の出処に基づき、広告管理システムが作成する。広告管理システムはまた、発行ソースおよび広告または宣伝用コンテンツ１２０の情報を使用して、広告管理システム内における広告または宣伝用コンテンツ１２０の一意性を検証し、ネットワークハブ１１０内での記憶の重複３２５ａを除外する助けとなる。
【００５７】
全ての広告および宣伝用コンテンツ１２０の保存および記憶を要求するために使用されるインターネット接続可能デバイスからネットワークハブ１１０に送られる、広告および宣伝用コンテンツ１２０についての情報は、これらに制限するものではないが、バナー広告またはテキスト広告のテキストおよび映像広告音声ファイルの映像のための、ＪＰＧ、ＧＩＦ、またはＰＮＧ等の任意の視覚ファイル、または広告および宣伝用コンテンツ１２０のコンテンツの他のプロパティを含むことができる。広告および宣伝用コンテンツ１２０のコンテンツの他のプロパティとは、インターネットＵＲＬもしくはウェブランディングページ、電話番号、電子メール、直接接続、または、広告および宣伝用コンテンツ１２０の発行元が意図したように、会員に広告および宣伝用コンテンツ１２０のコンテンツとインタラクトさせるよう意図する他の通信手段もしくは埋め込まれる方法等である。
【００５８】
広告管理システムの別の実装において、システムが広告および宣伝用コンテンツ１２０を保存、記憶、および分類すると、ネットワークハブ１１０は、広告主である発信元、広告配信者、発行者、代理人／代表者、製造業者、またはサービスプロバイダ１７０からの、広告もしくは宣伝用コンテンツ１２０の製品またはサービスの内容と意図するものに関する追加の製品情報１４０を求めて、要求３２５を自動的に開始する。
【００５９】
この追加の情報１４０には、価格宣伝、クーポン、賞金、有効期限、および製品比較情報を含むことができる。この自動的に要求される情報３２５をネットワークハブ１１０が受取った後、ネットワークハブ１１０内にされた、記憶した広告または宣伝用コンテンツ１２０に、情報１４０をリンクするかまたは埋め込む。この、広告または宣伝用コンテンツ１２０を保存および記憶する時３２５ｂに追加の製品またはサービスの情報を自動的に検索する、「バレットサービス（valet service）」により、会員は、広告管理システムのプライバシー内において広告または宣伝用コンテンツ１２０とインタラクトするとき、またはそれらを閲覧するときに、広告により表される製品またはサービスの価値または実用性をより高く評価できる。
【００６０】
図４は、例えば、広告をレビューする、および情報を要求するといった、保存および記憶した広告との異なるインタラクションを示す図である。広告管理システムには、図４に示すような、使いやすく、分かりやすい、直感的なユーザインターフェース１１０を有する、確実かつ安全なウェブサイトを含むネットワークハブ１１０内における実装を含む。広告管理システムの種々の実装により、広告管理システムのウェブサイトまたはネットワークへアクセスする複数の選択を会員に許可するユーザインターフェース１１０の実装をサポートする。広告管理システムのコンピュータネットワーク１１０へのアクセス４１０を提供する全てのユーザインターフェースの実装は、インターネット通信１３５が可能である入力デバイス１１５を有することを会員に要求するものであり、第三者のウェブサイト上に存在するソフトウェアウィジェット、デバイス依存のソフトウェアアプリケーション、または、ネットワークハブ１１０のウェブサイト特定のＵＲＬ（Universal Resource Locator）にアクセスする簡素なインターネットブラウザ１５０を、含むことができる。
【００６１】
会員が、広告管理システムのユーザインターフェースの実装を開始し、ログオン４１０してネットワークハブ１１０にアクセスすると、会員が保存および記憶した広告および宣伝用コンテンツ１２０を閲覧、削除、共有、またはそれらとインタラクトすることができるカスタマイズされたホームページ１６５、または、私的な、確実で安全な環境における広告管理システムの他の実装が、会員に提示される。広告管理システム内の会員のランディングページまたはホームページ１６５は、会員の私的な「広告スペース」領域１６５内への入り口を表し、かつ、会員の好み、および、個人情報、製品またはサービスへの興味、デモグラフィック、電子メール連絡先、および会員の行動情報等の会員プロフィール情報を含む、様々な情報を使用してカスタマイズすることができる。
【００６２】
ネットワークハブ１１０における会員の私的な領域すなわち「広告スペース」１６５内では、会員は、広告管理システムの実装により受取られる保存および記憶の要求を介して会員にリンクされる、新しく記憶した広告および宣伝用コンテンツ１２０とインタラクトすることができる。この保存および記憶した広告および宣伝用コンテンツ１２０とのインタラクションには、新しく保存した広告および宣伝用コンテンツ１２０の表示リスト４４０、以前保存および記憶した広告および宣伝用コンテンツ１２０の表示リスト４４５を含む。自動的に開始されたまたは会員が開始した要求に応答してネットワークハブ１１０が受取った、広告または宣伝用コンテンツ１２０の広告主、製造業者、発行者、または配信者１７０からの任意の利用可能な追加の情報４５５を、リンクし、対応するコンテンツと共に表示する。保存および記憶したコンテンツの表示は、保存の日付、分類、および、映像、テキスト、またはバナー等のコンテンツの形式タイプによりソートすることができる。これらの表示のソートの実装によりまた、会員は、広告または宣伝用コンテンツ１２０をまとめてグループ化し、以前閲覧したコンテンツを簡単に配置することができる。例えば、会員は、衣類用、電子機器用のグループを作成することができ、または、割引クーポンをともにグループ化することができる。広告管理システムの実装により、会員には、保存および記憶した広告および宣伝用コンテンツ１２０とインタラクトするための選択肢が、広告主、製造業者、発行者、または配信者１７０の範囲および意図４４９ａおよび４４９ｂに加えて、与えられる。広告管理システムのユーザインターフェースには、会員に、自分のインターネット接続デバイスを介して匿名で、自分の保存および記憶した広告または宣伝用コンテンツ１２０とインタラクトまたはインターフェースすることを許可する実装を含む。これにより、広告管理システムを使用してインターネット関連コンテンツにアクセスしている間、会員の本当の身元を本質的に隠蔽する。広告管理システムの実装により、会員は、広告または宣伝用コンテンツ１２０を閲覧またはそれらとインタラクトする一方、「ノートパッド」を作成し、ネットワークハブ１１０の内部に保存および記憶した任意の広告または宣伝用コンテンツ１２０に添付することができる。この「ノートパッド」は、メモおよび関連するコンテンツについての他の情報を保持するために、会員が使用することができる。メモには、会員の利便のために日付および時間がスタンプされる。
【００６３】
広告管理システムの一実装により、会員は、自分の記憶した広告および宣伝用コンテンツを、他の会員、友人、親友、およびネットワークハブ１１０の内外の仲間と共有する４４８ことができる。
【００６４】
会員が、任意の広告および宣伝用コンテンツならびに関連する情報１２０の一部または全体を、別の既知の会員または広告管理システムのグループと共有する４４８とき、これらの広告は、意図した会員またはグループの目的のホームページ１６５において利用可能になる。そして、このコンテンツは、受取り側または意図した会員が、広告管理システムに対して保存および記憶の要求を個人的に行っていたかのように、インタラクトすることが可能となる。
【００６５】
ネットワークハブ１１０の外部での会員間の共有４４８には、意図した人（単数または複数）への電子メール通信が、会員の代わりにネットワークハブ１１０から直接行われる。会員名は、電子メールテキスト内または他の通信テキスト内に含まれるが、全ての会員情報は非公開のままであり、送信者の情報は匿名のままある。
【００６６】
広告管理システムに対する広告または宣伝用コンテンツ１２０の保存および記憶の要求３８０によりもたらされるような、ネットワークハブ１１０により自動的に要求される情報に加えて、広告管理システムの会員は、必要に応じて、記憶した広告または宣伝用コンテンツ１２０の発行者、製造業者または配信者１７０からのさらなる情報の要求４２５を開始することができる。要求する情報には、製品またはサービスの購入場所、保証内容、および製品またはサービスのサポート情報を含むことができる。図４は、追加の情報を求める会員要求の典型例を示す。図４において、ステップ４２５にて、会員は要求を開始し、次にステップ４６０にて、会員は利用可能な選択肢のリストから情報要求の選択（単数または複数）を行う。ステップ４６５にて、ネットワークハブ１１０は、情報要求を会員のアカウント、保存および記憶した広告または宣伝用コンテンツ、および要求の日時とリンクさせる一意的なリソース識別子と共に、その情報要求を記憶する。会員のセキュリティおよびプライバシーを維持するために、ステップ４６８にて、ネットワークハブ１１０は、要求内で送られる任意の会員固有の識別情報の代わりに、それ自体が所有する内部的な一意的な識別子を使用する。ステップ４６８は、情報要求の処理の中心であり、会員に全体のプライバシーを提供し、かつ、会員がネットワークハブ１１０の外部から情報要求を行うことにより、会員がトラッキングまたはスパムを行うことをできる限り防ぐ。ステップ４７１にて、ネットワークハブ１１０は、広告主、広告配信者、発行者、代理人／代表者、製造業者、またはサービスプロバイダ１７０に対して、処理のために要求を送る。要求される情報に対する応答をネットワークハブ１１０が受取ると、一意的な要求ＩＤを使用して、会員アラートまたは他の通信手段により、新しい情報が利用可能であることを会員に通知することを確実にする。
【００６７】
第三者、ネットワークハブ１１０、または、会員もしくは会員が生成するレビューの収集のいずれかを介して入手可能である場合、ブランドおよび製造業者の格付けおよび推薦を、会員が要求することもできる。
【００６８】
開示する広告管理システムの一実装において、会員の「広告スペース」すなわち個人的領域１６５のプライバシーおよびセキュリティの範囲内で、ステップ４７５にて、会員は、製品の格付け、ブランド、割引クーポン、または、広告管理システムの内部の他の広告情報を求めてネットワークハブ１１０の検索を実施し、かつ、ステップ４８０にて、その結果を閲覧またはそれらとインタラクトすることができる。ステップ４８５にて、会員は、広告管理システムの内部から安全かつ確実に情報を求めて、ワールドワイドウェブの検索を匿名で実施することもできる。
【００６９】
図５は、コミュニティ機能の種々の態様を示す。広告管理システムの種々の実装のうち、ソフトウェアアプリケーションモジュールは、コミュニティ機能５００のためのユーザインターフェースを提示する会員のホームページからアクセス可能なものである。コミュニティ機能は、広告管理システムの方法により提供され、会員が、広告、製品、ブランド、製造業者、または、サービス情報を、広告管理システムの他の会員と通信または共有することを可能にする。コミュニティ機能を使用する会員は、恐らく、他の会員とのライブのオンラインチャットの会話５５５に参加すること、または世論調査５８２に参加すること、または利用可能なフォーラムまたはメッセージボード５５０にアクセスすることができる。
【００７０】
ライブのチャットの実装の一例において、広告管理システムのコミュニティ機能５００内でリアルタイムに多くのライブのチャットが同時に起こることがあり得る。ステップ５４５にて、会員は全ての現在利用可能なライブのチャットのリストを閲覧し、チャットに参加するために、特定のチャットの話題または主題が自分の興味を引くかどうかを判断することができる。ライブのチャットを選択すると、ステップ５５５にて、会員はライブのチャットに加わることが可能であり、ステップ５６０にて、他の会員とチャットを始める。広告管理システムの一実装において、会員はまた、広告管理システムの他の会員、または会員がカスタマイズしたリストの会員と、私的で安全なオンラインのチャットセッション５３４またはメッセージングを開始することができる。会員が作成した、広告管理システムの会員のこれらのリストを使用して、同様の製品、ブランド、広告、または他の同様の興味を有するユーザの小さなコミュニティを作成することができる。
【００７１】
ステップ５５０により表される広告管理システムの種々のメッセージボードまたはフォーラムの実装において、メッセージボードまたはフォーラムは、会員が、広告、特別な宣伝、製品、またはサービス情報および体験を投稿、閲覧および共有することに加えて、広告管理システムの他の会員からの広告、製品情報、意見、および体験を要求できるよう、存在する。ステップ５６３にて、会員は広告、製品、またはサービス情報を求めてフォーラムまたはメッセージボードを検索し、結果を閲覧して自分にとって最も重要な情報に素早くアクセスすることができる。
【００７２】
典型的には、会員は、フォーラムまたはメッセージボードコンポーネント５５０を開始して、広告管理システムのフォーラムまたはメッセージボードモジュール５５０にアクセスし、かつ、会員が興味を持っているメッセージボードまたはフォーラムを求めて利用可能なメッセージボードおよびフォーラム５５３のウェブページを見る。そして、会員は、ステップ５５２にて、新しいフォーラムまたはメッセージボードを作成し、ステップ５４８にて、新しいメッセージを既存のメッセージボードまたはフォーラムに投稿する。ステップ５４６にて、メッセージボードまたはフォーラムの別の会員により投稿されたメッセージに回答するか、または、ステップ５４４にて、単に別の会員のメッセージ投稿を閲覧することができる。
【００７３】
広告管理システムコミュニティ機能５００の別の実装は、ニュース・発表領域５８２であって、そこでは新しい製品、サービス、広告、および関連する情報が掲載されて、全ての会員が広告管理システムにおいて閲覧する。広告管理システムは、会員のプロフィール２９５内の情報、製品の好み、または他の基準に基づき、一意的な会員に示されるニュース・発表コンテンツの異なる表示５４１をカスタマイズすることができる。掲載には次回発売予定の製品の宣伝、新製品情報、または会員の興味を引くような他の関連する情報を含むことができる。また、ステップ５４２にて示されるように新しいニュース・発表を投稿するよう会員に勧めることもできる。
【００７４】
広告管理システムの別のコミュニティ機能の実装は、世論調査である。会員は、ステップ５８０にて、利用可能な世論調査のリストを閲覧すること、かつ、ステップ５８２に示されるように、参加する世論調査を選択することにより、世論調査に参加可能である。会員は次に、ステップ５８５にて示すように、世論調査を行うことができる。コミュニティ機能５００内部の世論調査は、様々な製品、サービス、または、製品もしくは広告の格付けおよび新製品のアイディアを含む広告コンテンツに及ぶ。特定の会員が利用可能な世論調査５８５は、会員のプロフィール２９５および好みに依存して決めることができる。
【００７５】
広告管理システムには、コミュニティ機能５００内に、広告管理システムに記憶した映像の広告および宣伝用コンテンツのランク付けを含む実装を含有する。
【００７６】
最高の会員ランク付け映像の映像リスト５９１は、会員が利用可能であり、コンテンツタイプにより分類することができる。ステップ５９２にて、会員がリスト５９１から映像を選択すると、会員は、選択したコンテンツを閲覧、それとインタラクト、およびそれを格付けすることができる。
【００７７】
図６は、フォーカスグループ、世論調査、および調査等のキャッシュフォーマイオピニオンの態様を示す。広告管理システムの別の実装において、「キャッシュフォーマイオピニオン」６００と呼ばれる一連の機能をサポートする一意的なユーザインターフェースが存在する。この機能領域には、広告管理システムの会員が使用して、出資された調査６８９およびフォーカスグループ６１５等の消費者調査ツールに参加することにより報奨を得ることができる有償の活動を含有する。
【００７８】
広告主、製造業者、または、広告または宣伝用コンテンツ１２０の配信者１７０により通常出資される活動を収集したこれらの消費者調査のデータは、特定の広告、製品、ブランド、またはサービスに関する会員の姿勢を、収集、サンプリング、または確認することを意図している。会員の消費者調査の活動への参加は、会員プロフィール２１０の一部として利用可能な会員デモグラフィックと選好情報との間の選択基準と、特定の調査またはフォーカスグループの出資者１７０により要求されるデモグラフィックおよび選好情報との照合に、密接に基づく。例えば、会員プロフィール２９５により２０歳から３０歳のデモグラフィックとして識別される会員には、このデモグラフィックに属する人達の消費者性向に関するデータを収集しようとしている出資者１７０のために、ネットワークハブ１１０内において、フォーカスグループ６１５、調査、または他の意見調査活動への参加を依頼することができる。
【００７９】
会員は、図２のステップ２９０に示すように、「キャッシュフォーマイオピニオン」領域６００の種々の実装に参加または登録するという自分の希望を、会員資格の登録（sign up）時、または、最初のサインアップ後に自分の既存のプロフィール２９５を変更することによるかのいずれかで、自分が参加に適任である以前に、指定しておかなければならない。会員が「キャッシュフォーマイオピニオン」領域６００の活動に含まれるためには、広告管理システムの会員はまた、デモグラフィックおよび選好情報を含有する自分の会員プロフィール２９５を作成および／または更新しておかなければならない。広告管理システムはこの情報を使用して、そのデモグラフィックおよび選好が有償の活動の出資者１７０のそれと適正にマッチした、有償の活動に参加する広告管理システムの会員を、適切に選択する。会員には、調査６８９またはフォーカスグループ６１５への参加に対する、現金、ポイント、割引クーポン、または他の宣伝物品６１２等の謝礼６１２を与えることができる。これらの報奨６１２は、ネットワークハブ１１０内に保持され、会員の「マイオピニオンクレジット」の残高（balance account）６４５に追加され、ここには会員の報奨６１２が、種々の「マイオピニオン（My Opinion）」のクレジット、ポイント、または、実装の他の賞６１２を会員が使用する時まで、蓄積される。現金残高額が蓄積される場合、現金残高が小切手を保証するのに十分な額となり、会員に対して広告管理システムが郵送するべきであるならば、広告管理システムは、会員の要求時または自動的に、会員に小切手を送ることができる。会員が稼いだ蓄積されたクレジット、現金、または他の報奨６１２を換金して、製品またはサービスを購入することができる。会員が稼いだ現金残高が、広告管理システムの閾値に基づき、十分である場合、広告管理システムは、「キャッシュフォーマイオピニオン」機能への参加を求める会員の要求時に、報奨を会員に送ることができる。
【００８０】
「キャッシュフォーマイオピニオン」６００機能に常駐する広告管理システムの一実装において、会員は、有償の調査に参加することを選択することができる。参加する会員は、「キャッシュフォーマイオピニオン」領域６００を訪れて、ステップ６８９にて全ての利用可能な調査を閲覧することができる。特定の会員に利用可能な調査のリストは、会員に一意的なプロフィール情報に基づきカスタマイズされている。ステップ６８６にて、会員はリスト上の調査を選択し、調査を開始することができる。ステップ６８０にて、調査の出資者が定義するように調査が完了した後、ステップ６４０にて、稼いだ会員のクレジット、現金、および／または他の報奨６１２は、会員の「マイオピニオン」６４５のアカウントに預け入れされる。会員は、ステップ６４５にて「マイオピニオン」６４５のアカウントリンクを訪れることにより、「キャッシュフォーマイオピニオン」領域６００から、いつでも自分の「マイオピニオン」の残高を閲覧することができる。
【００８１】
「キャッシュフォーマイオピニオン」領域６００に常駐する広告管理システムの別の実装において、会員は、有償のフォーカスグループ６１５に参加することを選択することができる。フォーカスグループの出資者には、広告主、広告発行者、製造業者、または広告配信者１７０を含むことができる。ステップ６０６にて、広告管理システムは、フォーカスグループに参加する会員に招待６０５を送ることができる。フォーカスグループの招待６０５には、フォーカスグループの話題または主題、フォーカスグループの仲介者、および、フォーカスグループが行われる日時等の情報を含むことができる。ステップ６１０にて、会員は、招待６０５の受理および受諾を知らせなければない。加えて、会員は、フォーカスグループが開始される日時には広告管理システムに存在しかつログインし、ステップ６１５にて、フォーカスグループに参加していると見なされなければならない。会員は、広告管理システムから一旦招待を受取り、その活動に参加したくない場合は、招待を断る選択をすることが可能である。ステップ６０６にて、限られた人数の会員が、各フォーカスグループ６１５への参加に招待され、それらの会員は、フォーカスグループのデモグラフィック要件にマッチするプロフィールを有する。広告管理システムの一実装では、広告主、製造業者、および他のフォーカスグループの出資者１７０が、フォーカスグループをリアルタイムで監視および観察することができる。これにより、広告管理システムからの全分析結果を待つことなく、フォーカスグループの参加者からリアルタイムの情報を取込むというさらなる利点が出資者にもたらされる。会員が、「キャッシュフォーマイオピニオン」６００領域内に見られる消費者調査の活動のいずれかへ参加することは、任意である。会員は、１つまたは多くの有償の活動に参加してもよいかどうかを、自分の会員プロフィール内に指定することができる。ステップ６２５にて、調査の出資者が定義するようにフォーカスグループが完了した後、ステップ６４０にて、稼いだ会員のクレジット、現金、および／または、他の報奨６１２は、会員の「マイオピニオン」６４５のアカウントに預け入れされる。会員は、ステップ６４５にて「キャッシュフォーマイオピニオン」６４５のアカウントリンクを訪れることにより、「キャッシュフォーマイオピニオン」機能６００領域から、いつでも自分の「キャッシュフォーマイオピニオン」の残高を閲覧することができる。
【００８２】
広告管理システムの一実装によると、「キャッシュフォーマイオピニオン」領域を訪れる参加会員はまた、「参加への招待」を介してか、または、「キャッシュフォーマイオピニオン」領域６００を訪れて、自分の会員プロフィールおよびデモグラフィック情報に基づき、自分が参加に適任であり得る任意の現在利用可能な活動を閲覧することにより、事前の通知無しで利用可能な活動を選択することのいずれかによって、他の宣伝用の活動および謝礼に基づく活動に参加することができる。他の消費者調査のツール、宣伝、または謝礼の例には、ブロック６７４における新製品のアイディア、またはブロック６７８における消費者の見識および姿勢の周辺の活動がある。
【００８３】
図７は、会員に重要な情報を通知するための会員アラート（通知）機能のブロック図である。広告管理システムの一実装により、要求された情報を受取られて７６０、それが閲覧可能である場合に、会員に通知するユーザインターフェースを提供する。これには、クーポンおよび他の広告または宣伝用コンテンツ１２０の有効期限７４０、特別な宣伝または特定の広告または宣伝用コンテンツ１２０に関連する時間に影響を受ける他の情報を含む。
【００８４】
会員はまた、通知されることを会員が選択した製品またはサービス７２０に対して新しい製品またはサービスの発表がなされるときに、通知される。
【００８５】
「キャッシュフォーマイオピニオン」の活動７５０への参加を要求する会員が招待を受取ると、アラートが掲載される。新しいアラートは、広告管理システムにログオンするたびに、または、会員がシステムにログオンしている場合は、情報を受取る時にリアルタイムで、会員に提示される。アラートはまた、広告管理システム内で会員のランディングページまたはホームページ上で受取り可能である。
【００８６】
図８は、収集および取込むことができるいくつかのタイプの会員分析情報を示すブロック図である。広告管理システムの実装は、分析エンジンおよびコントローラ８００である。分析エンジン８００は、測定基準、ならびに、会員の活動およびインタラクション、コミュニティ機能５００、および広告管理システムの使用についての他の測定可能な情報８１０を維持する責任がある。分析エンジン８００の種々の実装において、記憶されている広告および宣伝用コンテンツのタイプおよび形式を考慮して、情報を収集する。また、クリック率、および会員により要求される追加の情報のタイプを取込む。広告管理システムの一実装は、ページビューや、会員のホームページすなわち「広告スペース」である、「キャッシュフォーマイオピニオン」６００、およびコミュニティ領域５００を含む、広告管理システムの異なる領域で費やされる時間等の、ウェブの測定基準情報を監視、組み立て、および、取入れるために使用される分析エンジン８００である。広告管理システムの機能およびユーザインターフェースの実装を改善、向上、および最適化するために、ネットワークハブ１１０が会員の好みおよびプロフィールに対する測定基準を実施できることを、会員が選択していた場合、分析エンジン８００は、コミュニティメッセージボードまたはフォーラム５６２上で会員により共有される意見およびビューからの情報、会員が作成したメッセージボード５６２の話題または主題、コミュニティのニュース５８２および発表の掲載に対する会員の応答を取込む。分析および測定基準は、ブランド、製造業者、製品、およびサービスに関する会員の好みを含んで、フォーラムまたはメッセージボード５６２から組み立てられる。
【００８７】
広告管理システムの分析エンジン８００の一実装を使用して、コミュニティ領域内の新製品および既存製品のニュースおよび発表に対する、分析および会員の応答データを収集する。
【００８８】
広告管理システムの別の実装において、分析エンジン８００の一部として、「キャッシュフォーマイオピニオン」領域６００において利用可能である、異なる消費者調査ツールおよび活動への会員の参加から、統計情報を集める。例えば、調査、フォーカスグループ、および新製品レビューといった、有償の調査活動への会員の参加および行動を分析することにより、ネットワークハブ１１０は、クーポン、広告、および他の宣伝用コンテンツ１２０の有効性についてのデータを収集することができる。
【００８９】
会員のプライバシーおよびアイデンティティの保護は、広告管理システムの全ての実装における主要な要素である。広告管理システムの実装によると、会員資格を確立し、会員資格を会員の一意的な会員名に関連付けると、一意的な「ブラウジングＩＤ」が各会員に対して作成される。ネットワークの外部での検索、および広告または宣伝用コンテンツ１２０のブラウジングまたはインタラクション等の任意の通信では、上記で特定した会員識別のための「ブラウジングＩＤ」を使用する。広告管理システムの実装によると、会員は、広告または宣伝用コンテンツ１２０の広告主、製造業者、発行者、または配信者１７０からの追加の情報を要求することができる。各会員の要求に対して、ネットワークハブ１１０は、要求の送信者および受信者の両方に対して要求を一意的に識別する、一意的な要求ＩＤを作成する。これにより、ネットワークハブ１１０の外部にある広告管理システムの実装を使用する場合に、会員名を含む会員の個人情報が、不要に目に触れるまたは露出することのないように完全に保護する。内部通信では、会員名および「ブラウジングＩＤ」の両方を使用して、会員を識別することができる。会員に代わってなされる外部通信では、この一意的な「ブラウジングＩＤ」を、広告または宣伝用コンテンツ１２０の意図する宛先に対して外部に露出される単なる会員識別データとして使用し、会員が、完全にプライバシーを守ってウェブサイトの宛先とインタラクトまたはブラウズすることを可能にする。
【００９０】
ブラウザプラグイン・広告管理システムの種々の実装には、以下のうちの１つまたは複数を含むことができる。
・テキスト、音声、バナー、および映像のインターネット広告および宣伝用コンテンツを保存するブラウザプラグイン
・ビジター用ランディングページ
・会員のホームページ
・インターネットに接続される全てのプラットフォームを介して、全てのタグ付けタイプの広告および宣伝情報を保存する能力
・タイムスタンプが付けられた広告および宣伝用ファイルまたはテキストを、ストレージデータベースに記憶させる能力
・広告を保存するとすぐに、ユーザが、追加の価値のある通貨代用物、すなわち、レビュー、使用、および共有するクーポン、製品レビュー、価格比較、および割引を自動的に受取る、カスタマイズされた情報
・全ての保存した広告および宣伝用ファイル、ならびにカスタマイズされた追加する価値のある情報、すなわち、自分の個人のストレージデータベース内のデジタルクーポンおよび印刷可能なクーポンを、全てのインターネット接続可能デバイスを使用して、ユーザに提供すること
・全ての保存および記憶した広告および宣伝用ファイル、ならびに全てのユーザ生成のカスタマイズされたファイルおよび追加の価値のある通貨代用物を、全てのインターネット接続可能デバイスを使用して、グラフィックスでレビューすること
・全ての保存および記憶した広告および宣伝用ファイル、ならびに全てのユーザがカスタマイズしたファイルおよび追加の価値のある通貨代用物の利益を、全てのインターネット接続可能デバイスを使用して、グラフィックスで検索すること
・友人、同僚および家族と秘密情報を共有すること
・コミュニティメッセージボードまたはフォーラム、およびチャット共有機能
・消費者調査の活動におけるユーザの意見の換金（Cash for Users Opinions）
・広告および製品情報を求めてウェブサイトの内外を匿名で検索すること
・新しい要求された情報を着信するとユーザにアラートを電子メールで送る、すなわち、保存した広告または時間に影響を受ける調査活動のリマインダ
・システムの任意の領域で実施される全てのクリック、リンクおよびページのレンダリングをトラッキングおよび報告する能力のあるサイト分析性
・誰に、いつ、どこで、人がシステムにアクセスするかを、ユーザが制御するセキュリティ機能性
・ユーザが制御を維持するプライバシー機能性
【００９１】
図９は、クライアントとして、または１つもしくは複数のサーバのいずれかとして、本文書に記載するシステムおよび方法を実装するために使用することができるコンピューティングデバイス９００、９５０のブロック図である。コンピューティングデバイス９００は、種々の形式のデジタルコンピュータ、例えば、ラップトップ、デスクトップ、ワークステーション、携帯情報端末、サーバ、ブレードサーバ、メインフレーム、および、他の適切なコンピュータ等を表すよう意図するものである。コンピューティングデバイス９５０は、種々の形式のモバイルデバイス、例えば、携帯情報端末、携帯電話、スマートフォン、および、他の同様のコンピューティングデバイス等を表すよう意図するものである。ここに示すコンポーネント、その接続および関係、ならびにその機能は、単なる例であることを意味し、特許請求の範囲の実装を制限することを意味しない。
【００９２】
コンピューティングデバイス９００には、プロセッサ９０２、メモリ９０４、ストレージデバイス９０６、メモリ９０４および高速拡張ポート９１０に接続する高速インターフェース９０８、ならびに、低速バス９１４およびストレージデバイス９０６に接続する低速インターフェース９１２を含む。各コンポーネント９０２、９０４、９０８、９０６、９１０、および９１２は、種々のバスを使用して相互に接続され、かつ、共通のマザーボードに、または必要に応じて他の方法で、組み込むことができる。プロセッサ９０２は、コンピューティングデバイス９００内で実行するための命令を処理することができる。その命令には、メモリ９０４またはストレージデバイス９０６に記憶され、高速インターフェース９０８に連結したディスプレイ９１６等の外部の入力／出力デバイス上にＧＵＩのためのグラフィックの情報を表示する命令を含む。他の実装において、複数のプロセッサおよび／または複数のバスを、必要に応じて、複数のメモリおよびメモリタイプのものと共に使用することができる。また、複数のコンピューティングデバイス９００は、必要な動作（例えば、サーババンク、ブレードサーバのグループ、またはマルチプロセッサシステムとして）の一部を提供する各デバイスと接続することができる。
【００９３】
メモリ９０４は、コンピューティングデバイス９００内で情報を記憶する。一実装において、メモリ９０４はコンピュータ可読媒体である。一実装において、メモリ９０４は、揮発性メモリユニット（単数または複数）である。別の実装において、メモリ９０４は不揮発性メモリユニット（単数または複数）である。
【００９４】
ストレージデバイス９０６は、コンピューティングデバイス９００に大容量記憶を提供する能力がある。一実装において、ストレージデバイス９０６はコンピュータ可読媒体である。種々の異なる実装において、ストレージデバイス９０６は、フロッピー（登録商標）ディスクデバイス、ハードディスクドライブ、光ディスクドライブ、または、テープドライブ、フラッシュメモリもしくは他の同様の半導体メモリドライブ、または、記憶領域ネットワークもしくは他の構成内のデバイスを含むデバイスの配列とすることができる。一実装において、コンピュータプログラム製品は、情報キャリア内で具体的に実現される。コンピュータプログラム製品は、実行されると、上述したような１つまたは複数の方法を実施する命令を含有する。情報キャリアは、メモリ９０４、ストレージデバイス９０６、またはプロセッサ９０２上のメモリ等の、コンピュータ可読またはマシン可読媒体である。
【００９５】
高速コントローラ９０８は、コンピューティングデバイス９００の帯域幅集中型の動作の管理し、一方、低速コントローラ９１２は、より低い帯域幅集中型の動作を管理する。そのような役割の割り当ては単なる例である。一実装において、高速コントローラ９０８を、メモリ９０４、ディスプレイ９１６（例えば、グラフィックプロセッサまたはアクセラレータを介して）、および、種々の拡張カード（図示せず）を受入れることができる高速拡張ポート９１０に連結する。その実装において、低速コントローラ９１２を、ストレージデバイス９０６および低速拡張ポート９１４に連結する。低速拡張ポートは、種々の通信ポート（例えば、ＵＳＢ、ブルートゥース、イーサネット、無線イーサネット）を含むことができ、キーボード、ポインティングデバイス、スキャナ、または、スイッチもしくはルータ等のネットワークデバイス等の、１つまたは複数の入力／出力デバイスに、例えば、ネットワークアダプタを介して連結することができる。
【００９６】
コンピューティングデバイス９００は、図示するように、多数の異なる形式で実装することができる。例えば、標準サーバ９２０として、またはそのようなサーバのグループの多重時間で実装することができる。また、ラックサーバシステム９２４の一部として実装することもできる。加えて、ラップトップコンピュータ９２２等のパーソナルコンピュータにおいて実装することができる。あるいは、コンピューティングデバイス９００からのコンポーネントは、デバイス９５０等のモバイルデバイス内の他のコンポーネント（図示せず）と組み合わせることができる。そのようなデバイスのそれぞれは、１つまたは複数のコンピューティングデバイス９００、９５０を含有することができ、かつ、全体のシステムは、お互いに通信する複数のコンピューティングデバイス９００、９５０で編成することができる。
【００９７】
コンピューティングデバイス９５０には、数あるコンポーネントの中でも特に、プロセッサ９５２、メモリ９６４、ディスプレイ９５４等の入力／出力デバイス、通信インターフェース９６６、およびトランシーバ９６８を含む。デバイス９５０に、マイクロドライブまたは他のデバイス等のストレージデバイスを提供して、追加のストレージを設けることもできる。各コンポーネント９５０、９５２、９６４、９５４、９６６、および９６８は、種々のバスを使用して相互に接続され、かつ、いくつかのコンポーネントは、共通のマザーボードに、または必要に応じて他の方法で、組み込むことができる。
【００９８】
プロセッサ９５２は、メモリ９６４に記憶される命令を含む、コンピューティングデバイス９５０内で実行するための命令を処理することができる。プロセッサにはまた、別個のアナログおよびデジタルのプロセッサを含むことができる。プロセッサは、例えば、ユーザインターフェースの制御、デバイス９５０により実行されるアプリケーション、およびデバイス９５０による無線通信等の、デバイス９５０の他のコンポーネントの調整を行うことができる。
【００９９】
プロセッサ９５２は、ディスプレイ９５４に連結する制御インターフェース９５８および表示インターフェース９５６を介してユーザと通信することができる。ディスプレイ９５４は、例えば、ＴＦＴ  ＬＣＤディスプレイもしくはＯＬＥＤディスプレイ、または他の適切なディスプレイ技術とすることができる。表示インターフェース９５６は、ディスプレイ９５４を駆動してグラフィックおよび他の情報をユーザに提示するための適切な回路を備えることができる。制御インターフェース９５８は、ユーザからコマンドを受取り、それらを変換してプロセッサ９５２に渡すことができる。加えて、外部インターフェース９６２を、プロセッサ９５２と通信するよう提供し、デバイス９５０と他のデバイスとの近接する領域の通信を可能にすることができる。外部インターフェース９６２は、例えば、有線通信（例えば、ドッキングプロシージャを介して）、または無線通信（例えば、ブルートゥースまたは他のそのような技術を介して）を提供することができる。
【０１００】
メモリ９６４は、コンピューティングデバイス９５０内で情報を記憶する。一実装において、メモリ９６４はコンピュータ可読媒体である。一実装において、メモリ９６４は揮発性メモリユニット（単数または複数）である。別の実装において、メモリ９６４は不揮発性メモリユニット（単数または複数）である。拡張メモリ９７４を、デバイス９５０に提供して、例えば、ＳＩＭＭカードインターフェースを含む拡張インターフェース９７２を介して、デバイス９５０に接続することもできる。そのような拡張メモリ９７４は、デバイス９５０に予備の記憶スペースを提供することができ、または、デバイス９５０のためのアプリケーションまたは他の情報を記憶することができる。特に、拡張メモリ９７４は、上述の処理を実行または補助する命令を含むことができ、かつ、安全な情報を含むこともできる。従って、例えば、拡張メモリ９７４を、デバイス９５０のためのセキュリティモジュールとして提供することができ、かつ、デバイス９５０の安全な使用を許可する命令と共にプログラミングすることができる。加えて、安全なアプリケーションを、ハッキング不能な方法でＳＩＭＭカード上に識別情報を置くなどして、追加の情報と共に、ＳＩＭＭカードを介して提供することができる。
【０１０１】
メモリには、例えば、以下で検討するように、フラッシュメモリおよび／またはＭＲＡＭメモリを含むことができる。一実装において、コンピュータプログラム製品は、情報キャリア内で具体的に実現される。コンピュータプログラム製品は、実行されると、上述したような１つまたは複数の方法を実施する命令を含有する。情報キャリアは、メモリ９６４、拡張メモリ９７４、またはプロセッサ９５２上のメモリ等の、コンピュータ可読またはマシン可読媒体である。
【０１０２】
デバイス９５０は、必要ならばデジタル信号処理回路を含むことができる通信インターフェース９６６を介して、無線で通信することができる。通信インターフェース９６６は、中でも特に、ＧＳＭボイスコール、ＳＭＳ、ＥＭＳ、もしくはＭＭＳメッセージング、ＣＤＭＡ、ＴＤＭＡ、ＰＤＣ、ＷＣＤＭＡ、ＣＤＭＡ２０００、またはＧＰＲＳ等の、種々の方式またはプロトコルの下における通信を提供することができる。そのような通信は、例えば、無線周波トランシーバ９６８を介して発生させることができる。加えて、短距離通信は、ブルートゥース、ＷｉＦｉ、または他のそのようなトランシーバ（図示せず）を使用するなどして発生させることができる。加えて、ＧＰＳレシーバモジュール９７０は、追加の無線データをデバイス９５０に提供することができる。このデータは、必要に応じてデバイス９５０上で稼働するアプリケーションによって使用される。
【０１０３】
デバイス９５０はまた、ユーザから口頭で情報を受取り、それを使用可能なデジタル情報に変換することができる音声コーデック９６０を使用して、音声で通信することができる。音声コーデック９６０は、同様に、例えば、ハンドセット形式のデバイス９５０のスピーカを介するなどして、ユーザが音声認識可能な音を生成することができる。そのような音には、音声の通話からの音を含むことができ、録音された音（例えば、音声メッセージ、音楽ファイル等）を含むことができ、かつ、デバイス９５０上で動作するアプリケーションにより生成される音を含むこともできる。
【０１０４】
コンピューティングデバイス９５０は、図示するように、多数の異なる形式で実装することができる。例えば、携帯電話９８０として実装することができる。また、スマートフォン９８２、携帯情報端末、または他の同様のモバイルデバイスの一部として実装することもできる。
【０１０５】
本明細書に記載するシステムおよび技術の種々の実装は、デジタル電子回路、集積回路、特別に設計されたＡＳＩＣ（Application Specific Integrated Circuit）、コンピュータハードウェア、ファームウェア、ソフトウェア、および／またはそれらの組み合わせにおいて、実現可能である。これらの種々の実装には、ストレージシステム、少なくとも１つの入力デバイス、および少なくとも１つの出力デバイスとの間でデータおよび命令を送受信するために連結される、専用または汎用の、少なくとも１つのプログラミング可能なプロセッサを含むプログラミング可能なシステム上で実行可能および／または解釈可能な、１つまたは複数のコンピュータプログラムにおける実装を含むことができる。
【０１０６】
これらのコンピュータプログラム（プログラム、ソフトウェア、ソフトウェアアプリケーション、またはコードとしても既知である）は、プログラミング可能プロセッサに対するマシン命令を含み、かつ、高レベルの手続き型および／またはオブジェクト指向のプログラミング言語、および／または、アセンブリ言語／機械語で実装することが可能である。本明細書において使用するように、用語「マシン可読媒体」「コンピュータ可読媒体」は、マシン命令および／またはデータをプログラム可能プロセッサに提供するために使用される、任意のコンピュータプログラム製品、装置および／またはデバイス（例えば、磁気ディスク、光ディスク、メモリ、ＰＬＤ（Programmable Logic Device））を指し、マシン命令を機械可読信号として受取るマシン可読媒体を含む。用語「機械可読信号」は、マシン命令および／またはデータをプログラミング可能プロセッサに提供するために使用される任意の信号を指す。
【０１０７】
ユーザとのインタラクションを提供するために、本明細書に記載するシステムおよび技術は、ユーザに情報を表示するための表示デバイス（例えば、ＣＲＴ（cathode ray tube）またはＬＣＤ（liquid crystal display）のモニタ）、ならびに、ユーザがコンピュータに入力を与えることが可能なキーボードおよびポインティングデバイス（例えば、マウスまたはトラックボール）を有するコンピュータ上で、実装可能である。他の種類のデバイスを使用して、同様に、ユーザとのインタラクションを提供することが可能である。例えば、ユーザに提供されるフィードバックは、任意の形式の感覚的なフィードバック（例えば、視覚的フィードバック、音声フィードバック、または触知性フィードバック）とすることができ、かつ、ユーザからの入力を、音響、発話、または触知性の入力を含む任意の形式で受取ることが可能である。
【０１０８】
本明細書に記載するシステムおよび技術は、バックエンドコンポーネント（例えば、データサーバとして）を含むコンピューティングシステム、または、ミドルウェアコンポーネント（例えば、アプリケーションサーバ）を含むコンピューティングシステム、または、フロントエンドコンポーネント（例えば、それを介してユーザが本明細書に記載するシステムおよび技術の実装とインタラクトすることが可能なグラフィカルユーザインターフェースまたはウェブブラウザを有するクライアントコンピュータ）を含むコンピューティングシステム、または、そのようなバックエンド、ミドルウェア、またはフロントエンドのコンポーネントの任意の組み合わせにおいて、実装可能である。システムのコンポーネントは、デジタルデータ通信の任意の形式または媒体（例えば、通信ネットワーク）により相互に接続することができる。通信ネットワークの例には、「ＬＡＮ」（local area network）、「ＷＡＮ」（wide area network）、およびインターネットを含む。
【０１０９】
コンピューティングシステムには、クライアントおよびサーバを含むことができる。クライアントおよびサーバは、一般にはお互いに離れており、典型的には通信ネットワークを介してインタラクトする。クライアントとサーバの関係は、それぞれのコンピュータ上で稼働し、かつクライアント−サーバの関係をお互いに有するコンピュータプログラムに基づいて生まれる。
【０１１０】
多数の実装について記載した。それにもかかわらず、当然のことながら、本明細書に記載する主題の精神および範囲から逸脱することなく、種々の修正を行うことができる。例えば、上記に示されるフローの種々の形式を、ステップを並べ替え、追加、または除去して、使用することができる。また、システムおよび方法のいくつかの用途を記載したが、多数の他の用途が考えられることは認識すべきである。従って、他の実装は、以下の特許請求の範囲の範囲内にある。
【図１】
2012505480.tif 000003
【図２】
2012505480.tif 000004
【図３】
2012505480.tif 000005
【図４】
2012505480.tif 000006
【図５】
2012505480.tif 000007
【図６】
2012505480.tif 000008
【図７】
2012505480.tif 000009
【図８】
2012505480.tif 000010
【図９】
2012505480.tif 000011
【国際調査報告】
2012505480.tif 000012
2012505480.tif 000013